(57)【要約】【課題】ドットライン反転方式において、黒ウィンドウや黒線などの表示時における境界部の横尾引きを無くした表示装置を提供する。【解決手段】画素回路ＰＸＬＣが行列状に配置され、各画素列ごとに信号ライン１５−１〜１５−ｎが配線され、少なくとも隣り合う画素列間で奇数行離れた２行を単位としてゲートラインが配線されてなる画素部１１を有し、各信号ラインに極性の異なる映像信号を伝搬させるドットライン反転駆動方式を採用した表示装置１０であって、複数の上記信号ラインを複数のユニットＵＮＴに分割し、分割ユニット毎に極性の異なる複数の映像信号を同時的にサンプリングして対応する信号ラインに伝搬させる水平駆動回路１３を有し、画素部１１は、分割ユニット間の境界部においては、ゲートライン１６−１〜１６−ｍが同一行に配列された各分割ユニットに含まれる２つの画素回路に対して接続されている。【選択図】図３
2005055557.tif 000002
【特許請求の範囲】
【請求項１】
画素回路が行列状に配置され、各画素列ごとに信号ラインが配線され、少なくとも隣り合う画素列間で奇数行離れた２行を単位としてゲートラインが配線された画素部を有し、各信号ラインに極性の異なる映像信号を伝搬させるドットライン反転駆動方式を採用した表示装置であって、
複数の上記信号ラインを複数のユニットに分割し、分割ユニット毎に上記極性の異なる複数の映像信号を同時的にサンプリングして上記対応する信号ラインに伝搬させる第１の駆動手段を有し、
上記画素部は、分割ユニット間の境界部においては、上記ゲートラインが同一行に配列された各分割ユニットに含まれる２つの画素回路に対して接続されている
表示装置。
【請求項２】
上記画素部の各画素を行方向に走査しつつ前記ゲートラインに対して走査パルスを与える第２の駆動手段を、有する
請求項１記載の表示装置。
【請求項３】
上記第１の駆動手段による上記信号ラインへの上記逆極性の映像信号の供給に先立って、所定レベルのプリチャージ信号を供給するプリチャージ回路を、有する
請求項１記載の表示装置。
【請求項４】
上記画素回路の表示エレメントが液晶セルである
請求項１記載の表示装置。
【発明の詳細な説明】
【技術分野】
【０００１】
本発明は、表示装置およびその駆動方法に係り、特に、いわゆるドットライン反転方式を採用した表示装置に関するものである。
【背景技術】
【０００２】
画素が行列状に配置された表示装置、たとえばアクティブマトリクス型液晶表示装置（ＬＣＤ：Ｌｉｑｕｉｄ  Ｃｒｙｓｔａｌ  Ｄｉｓｐｌａｙ）において、その駆動方式として、各画素を１ライン（１行）ごとに画素単位で順次駆動する点順次駆動方式か知られている。また、この点順次駆動方式として、１Ｈ反転駆動方式やドット反転駆動方式がある。
【０００３】
１Ｈ反転駆動方式では、映像信号を書き込む際に、各画素に所定の直流電圧をコモン電圧Ｖｃｏｍとして供給するライン（以下、Ｃｓラインと称す）に左右の画素間で抵抗分が存在し、さらにＣｓラインと信号ラインとの間に寄生容量が存在することから、これらに起因してＣｓラインやゲートラインに映像信号が飛び込み、Ｃｓラインの電位が映像信号と同極性の方向にゆれるため、横方向のクロストークが顕著になったり、あるいはシェーディング不良を引き起こし、画質が大きく損なわれる。
【０００４】
また、画素が画素情報を１フィールド期間保持している間に、信号ラインの電位が１Ｈ（Ｈは水平走査期間）ごとにゆれる。ここで、ＩＨ反転駆動方式の場合には、隣り合う左右の画素に書き込まれ映像信号の極性が同じであることから、信号ラインの電位のゆれが大きくなり、この電位のゆれが画素トランジスタのソース／ドレインカップリングによって画素に飛び込むため、縦方向のクロストークが顕著になり、画質不良の要因となる。
【０００５】
一方、ドット反転駆動方式では、隣り合う左右の画素に映像信号が同時に逆極性で書き込まれることから、Ｃｓラインや信号ラインの電位のゆれが隣り合う画素間でキャンセルされるため、１Ｈ反転駆動方式での画質不良の問題については解消できる。しかしながら、その反面、隣り合う左右の画素に書き込まれる映像信号の極性が異なることから、隣り合う画素の電界の影響を受けるため、画素の開口部の隅にドメイン（光抜け領域）が発生する。その結果、画素の開口率が低下し、透過率を落とすことになるため、コントラストの低下を招く。
【０００６】
これに対して、映像信号を書き込んだ後の画素配列において、画素の極性が隣り合う左右の画素で同極性となり、かつ上下の画素で逆極性となるように、隣り合う画素列間で奇数行離れた２行、たとえば上下の２行の画素に互いに逆極性の映像信号を同時に書き込む駆動方式が提案されている（たとえば、特許文献１）。以下、この駆動方式をドットライン反転駆動方式と呼称する。
【０００７】
このドットライン反転駆動方式では、ドット反転駆動方式の場合と同様に、隣り合う信号ラインには互いに逆極性の映像信号が与えられるとともに、映像信号を書き込んだ後の画素配列において、画素の極性がＩＨ反転駆動方式の場合と同様に、隣り合う左右の画素で同極性となるため、画素の開口率を低下させることなく、横方向のクロストークやシェーディング等の画質不良を改善できることになる。
【０００８】
ところで、点順次駆動を行う際に、各画素に書き込む映像信号を１Ｈごとに反転させる場合、画素部の各列ごとに配線された信号ラインへの映像信号の書き込みによる充放電電流が大きいと、縦スジとして表示画面上に見えてしまう。
この映像信号の書き込みによる充放電電流をなるべく抑えるために、映像信号の書き込みに先立って、あらかじめプリチャージ信号を書き込むプリチャージ駆動方式か採られている。
【０００９】
ここで、縦スジとして最も見えやすいのがグレーレベルである。したがって、プリチャージ信号レベルとしては、通常、縦スジの最も見えやすいグレーレベルが設定される。
ところが、プリチャージ信号レベルをグレーレベルに設定すると、ウィンドウパターンなどを表示した際に、画素トランジスタのソース・ドレイン間での光リーク量か映像の場所によって異なることに起因して、縦方向のクロストークが発生し、画品位を損なうことになる。
【００１０】
この縦方向のクロストークが発生しないようにするためには、プリチャージ信号レベルをブラックレベルに設定すれば良く、これにより、画素トランジスタのソース・ドレイン間のリーク電流を画面全体に亘って均一にすることができる。ところが、プリチャージ信号レベルをブラックレベルに設定すると、逆に先述した縦スジが見えやすくなる。すなわち、縦方向のクロストークと縦スジとはトレードオフの関係にある。
【００１１】
このことから、ブラックレベルとグレーレベルを２ステップでプリチャージする点順次２ステッププリチャージ方式が提案されている。
【特許文献１】特開２００１−３５６７４０号公報
【発明の開示】
【発明が解決しようとする課題】
【００１２】
ところで、ドットライン反転でかつ点順次プリチャージ駆動方式を採用したアクティブマトリクス型液晶表示装置において、黒ウィンドウや黒線などの表示を行った場合には、図７に示すように、その境界部（濃度差が大きい部分）で水平（横方向）スキャン方向の手前に黒線が表示されるいわゆる尾引き（以下、これを横尾引きと称す）を発生する。このような横尾引きが発生することで、画品位が損ねられる。以下に、横尾引きの発生原因について述べる。
【００１３】
ドットライン反転駆動では、先述したように、人力される映像信号の極性が奇数列と偶数列の画素ごとに、画素に共通に与えられるコモン電圧Ｖｃｏｍを基準に正負に反転し、さらにそれが１Ｈごとに反転している。このときの画素電位の極性を図８に示す。
図８において、コモン電圧Ｖｃｏｍを基準としてそれよりも高い画素電位をＨで、低い画素電位をＬでそれぞれ示している。
【００１４】
これにより、黒ウインドウや黒線などの表示を行うとき、その境界部に対しては、図９に示すような画素電位の入力となる。図９において、Ｇはグレーレベルを、Ｂはブラックレベルをそれぞれ示している。
【００１５】
図１０には、点順次２ステッププリチャージ駆動を考慮した場合の信号ラインの電位変化を示す。ここで、一例として、プリチャージグレー信号のＨレベルを１０Ｖ，Ｌレベルを５Ｖ、プリチャージブラック信号のＨレベルを１３Ｖ、Ｌレベルを２Ｖにそれぞれ設定している。なお、通常の画素信号としては、グレー信号のＨレベルが９Ｖ、Ｌレベルが６Ｖ、ブランク信号のＨレベルが１３Ｖ，Ｌレベルが２Ｖとなっている。
【００１６】
ここで、図１０から明らかなように、信号ラインの電位は奇数列では、Ｎ段目画素電位のグレーＬ→プリチャージブラックＨ→プリチャージグレーＨ→Ｎ＋１段目画素電位のブラックＨと変化する。一方、偶数列では、Ｎ段目画素電位のブラックＨ−プリチャージブラックＬ→プリチャージグレーＬ一Ｎ＋１段目画素電位のブラックＬと変化する。
【００１７】
このとき、Ｎ段目画素電位からプリチャージブラック信号レベルへの電位変化は、奇数列側で＋７Ｖ、偶数列側で−１１Ｖとなるために互いに打ち消し合わない。この奇数列側と偶数列側の電位差が原因となって、先述した横尾引きが発生することになる。一般的に、信号ラインの電位変化は、画素トランジスタのゲート電極が行単位で接続されるゲートラインや画素にコモン電圧Ｖｃｏｍを供給するＣｓラインへ寄生容量を介してカップリングしてしまう。
【００１８】
すなわち、図９に示すような画素電位による黒ウィンドウや黒線などの表示の際には、このカップリングが奇数列と偶数列とで打ち消し合えず、それが原因となってゲートライン、Ｃｓライン共にゆれが乗ってしまう。このゆれがウィンドウ帯と同じく他画素に映像信号を書き込むときに入ってしまうので、ウインドウの横尾引きが発生してしまうのである。
【００１９】
本発明は、かかる事情に鑑みてなされたものであり、その目的は、ドットライン反転方式において、黒ウィンドウや黒線などの表示時における境界部の横尾引きを無くした表示装置を提供することにある。
【課題を解決するための手段】
【００２０】
上記目的を達成するため、本発明の観点は、画素回路が行列状に配置され、各画素列ごとに信号ラインが配線され、少なくとも隣り合う画素列間で奇数行離れた２行を単位としてゲートラインが配線された画素部を有し、各信号ラインに極性の異なる映像信号を伝搬させるドットライン反転駆動方式を採用した表示装置であって、複数の上記信号ラインを複数のユニットに分割し、分割ユニット毎に上記極性の異なる複数の映像信号を同時的にサンプリングして上記対応する信号ラインに伝搬させる第１の駆動手段を有し、
上記画素部は、分割ユニット間の境界部においては、上記ゲートラインが同一行に配列された各分割ユニットに含まれる２つの画素回路に対して接続されている。
【００２１】
好適には、上記画素部の各画素を行方向に走査しつつ前記ゲートラインに対して走査パルスを与える第２の駆動手段を、有する。
また、上記第１の駆動手段による上記信号ラインへの上記逆極性の映像信号の供給に先立って、所定レベルのプリチャージ信号を供給するプリチャージ回路を、有する。
【００２２】
本発明によれば、同時サンプリングを行う各ユニットごとに、奇数（ｏｄｄ），偶数（ｅｖｅｎ）で極性を反転させた信号を入力し、ゲートラインでの電位変化を打ち消すようにし、さらに、ユニットの境の部分のラインは反転させずに配線する。
これにより、画素にはゆれは書き込まれず、尾引きは改善され、また、各ユニットの境でＨ，Ｌが逆転することがなくなり、ユニット境界部の開口率が落ちてしまうこと防止できる。
すなわち、ユニットの境の部分のラインは反転させずに配線することにより今まで通りのドットライン反転方式と同じく横１列でＨまたはＬとなる。
【発明の効果】
【００２３】
以上説明したように、本発明によれば、黒ウィンドウや黒線などの表示時における境界部の横尾引きを無くすことができる。
【発明を実施するための最良の形態】
【００２４】
本発明の実施の形態について図面を参照して詳細に説明する。
【００２５】
図１は、本発明に係るドットライン反転駆動方式を採用したアクティブマトリクス型液晶表示装置の構成例を示す回路図である。
【００２６】
本液晶表示装置１０は、図１に示すように、画素部１１、第２の駆動手段としての垂直駆動回路（ＶＤＲＶ）１２、第１の駆動手段としての水平駆動回路（ＨＤＲＤ）１３、およびプリチャージ回路１４を有している。
【００２７】
画素部１１は、複数の画素回路ＰＸＬＣがｍ行ｎ列のマトリクス状に配列されている。
各画素回路ＰＸＬＣは、図２に示すように、画素トランジスタである薄膜トランジスタ（ＴＦＴ：Ｔｈｉｎ  Ｆｉｌｍ  Ｔｒａｎｓｉｓｔｏｒ）１１１と、このＴＦＴ１１１のドレイン電極に画素電極が接続された液晶セルＬＣと、ＴＦＴ１１１のドレイン電極に一方の電極が接続された保持容量Ｃｓを有する。
これら画素回路ＰＸＬＣの各々に対して、水平駆動回路１３により駆動される信号ライン１５−１〜１５−ｎが各列毎にその画素配列に沿って配列され、各列の画素回路のＴＦＴ１１１のソース電極が同一の信号ライン信号ライン１５−１〜１５−ｎに接続されている。各列の画素回路のＴＦＴ１１１のゲート電極が後述するように隣り合う画素列間で奇数行離れた２行を単位として配線されたゲートライン１６−１〜１６−ｍに接続されている。
また、液晶セルＬＣの対向電極および保持容量Ｃｓの他方の電極は、各画素間で共通にＣｓライン１７に接続されている。このＣｓライン１７には、所定の直流電圧がコモン電圧Ｖｃｏｍとして与えられる。
【００２８】
本実施形態の液晶表示装置１０は、上述したようにドットライン反転駆動方式を採用していることから垂直駆動回路１２により駆動されるゲートライン１６−１〜１６−ｎの配線の方法が通常の装置と異なる。
すなわち、図３に示すように、ゲートライン１６−１〜１３−ｎは、各行ごとにその画素配列方向に沿ってではなく、基本的には、奇数行離れた２ライン、たとえば上下２ライン（上下２行）を単位としてその２行の画素間で蛇行して配線されている。
【００２９】
具体的には、ゲートライン１６−１は、１行１列目、２行２列目、１行３列目、２行４列目の各画素に対して配線されている。ゲートライン１６−２は、２行１列目、３行２列目、２行３列目、３行４列目の各画素に対して配線されている。ゲートライン１６−３，１６−４，１６−５についても同様にして、上下２ラインの画素間で蛇行して配線されている。
【００３０】
画素回路ＰＸＬＣの各々において、ＴＦＴ１１１のゲートライン１６−１〜１６−ｍに対しての接続関係は次のようになっている。
すなわち、奇数列（１列，３列）については、各行（１行目〜５行目）ごとに対応する行のゲートライン１６−１−１６−５に各画素の薄膜トランジスタＴＦＴのゲート電極が接統され、偶数列（２列目，４列目〉については、各行（２行目〜６行目）ごとに１行上の行のゲートライン１６−１〜１３一６に各画素の薄膜トランジスタＴＰＴのゲート電極が接続されている。
【００３１】
以上により、画素回路ＰＸＬＣが行列状に配置され、これら画素回路ＰＸＬＣに対して信号ライン１５−１〜１５−ｎが各列ごとに配線されかつゲートライン１６−１〜１６−５が隣り合う画素列間で奇数行離れた２行、たとえば上下２行を単位としてこれら２行の画素回路間で蛇行して配線された画素部１１が構成される。この画素部１１において、ゲートライン１６−１−１６−１の各一端は、画素部１１のたとえば左側に配置された垂直駆動回路１２の各行の出力端に接統されている。
【００３２】
さらに、本実施形態の液晶表示装置１０は、複数（たとえば６本）の信号ラインを一つのユニットとして各ユニットＵＮＴ１，ＵＮＴ２，・・・で同時サンプリングを行う。
そして、各ユニットＵＮＴ１とＵＮＴ２、ＵＮＴ３とＵＮＴ４、・・の境界部においては、ゲートライン１６−１〜１６−ｍの配線が他のゲートラインの配線と異なる。
具体的には、図３の例で説明すると、第１ユニットＵＮＴ１の第６列と第２ユニットＵＮＴ２の第１列目との間では、ゲートライン１６−１は、２行６列目、２行７列目の各画素回路ＰＸＬＣに対して配線されている。ゲートライン１６−２は、３行６列目、３行７列目の各画素回路に対して配線されている。ゲートライン１６−３，１６−４，１６−５についても同様にして同一行の２つ連続する画素回路ＰＸＬＣに対して配線されている。
このような配線をとることにより、通常図４に示すように、各信号ライン１５−１〜１５−ｎに対して極性が異なる−１．５Ｖと＋３Ｖの信号が交互に伝播されるが、本実施形態においては、ユニット間の隣接する信号ライン、図３の例では、図５に示すように、信号ライン１５−６と１５−７、１５−１２と１５−１３、１５−１８と１５−１９には同極性、たとえば＋３Ｖと＋１．５Ｖまたは−３Ｖと−１．５Ｖビデオ信号が伝播される。
【００３３】
垂直駆動回路１２は、１フィールド期間ごとに垂直方向（行方向）に走査してゲートライン１６−１〜１６−ｎに上下２行間で交互に接続された各画素回路ＰＸＬＣを順次選択する処理を行う。すなわち、垂直駆動回路１２からゲートライン１６−１に対して走査バルスＶｇ１が与えられたときは、１行１列目、２行２列目、１行３列目、２行４列目の各画素が選択される。
【００３４】
ゲートライン１６−２に対して走査バルスＶｇ２が与えられたときは、２行１列目、３行２列目、２行３列目、３行４列目の各画素が選択される。以下同様にして、ゲートライン１６−３，１６−４，１６−５に対して走査バルスＶｇ３，Ｖｇ４，Ｖｇ５が順に与えられるときにも、上下２行間で水平方向（列方向）において交互に画素の選択が行われる。
【００３５】
水平駆動回路１３は、Ｈシフトレジスタ１３１と、水平スイッチ１３２−１〜１３２−ｉ（ＨＳＷ−１〜ＨＳＷ−ｉ）を有する。
Ｈシフトレジスタ１３１は、水平スイッチ１３２−１〜１３２−ｉに対応する複数のシフトレジスタ（Ｓ／Ｒ）が縦続接続されており、水平スタートパルスＶＳＴ、水平クロックＨＣＫなどの駆動パルスを応答して動作し、各シフトレジスタ（Ｓ／Ｒ）から順次サンプリングパルスＶｈ１，ＸＶｈ１〜Ｖｈｉ，ＸＶｈｉ（Ｘは転々信号を示す）を対応する水平スイッチ１３２−１〜１３２−ｉに出力する。
水平スイッチ１３２−１〜１３２−ｉは、たとえば図３に示すように、６本のビデオ線ＶＤＬ１〜ＶＤＬ６と信号ライン１５−１〜１５−６、１５−７〜１５−１２、・・とをサンプリングパルスＶｈ１，ＸＶｈ１〜Ｖｈｉ，ＸＶｈｉに応答して作動的に接続する転送スイッチＴＭ１〜ＴＭ６を有している。
各転送スイッチＴＭ１〜ＴＭ６は、ｐチャネルＭＯＳ（ＰＭＯＳ）トランジスタとｎチャネルＭＯＳ（ＮＭＯＳ）とのソース・ドレイン同士を接続して構成され、ＮＭＯＳトランジスタのゲートに正転信号Ｖｈが供給され、ＰＭＯＳトランジスタのゲートに反転信号ＸＶｈが供給される。
【００３６】
そして、ビデオ線ＶＤＬ１には映像信号Ｓｉｇ１が供給され、ビデオ線ＶＤＬ２には映像信号Ｓｉｇ２が供給され、ビデオ線ＶＤＬ３には映像信号Ｓｉｇ３が供給され、ビデオ線ＶＤＬ４には映像信号Ｓｉｇ４が供給され、ビデオ線ＶＤＬ５には映像信号Ｓｉｇ５が供給され、ビデオ線ＶＤＬ６には映像信号Ｓｉｇ６が供給される。
【００３７】
映像信号Ｓｉｇは、１Ｈ期間毎に有効期間とそれ以外のブランキング期間を含んでいる。有効期間内に１行分の画素に対応したＴＦＴ１１１を導通させ、信号ラインを介して各画素回路ＰＸＬＣに映像信号が書き込まれる。
映像信号Ｓｉｇ１，Ｓｉｇ３，Ｓｉｇ５は基準電圧に対して１Ｈ毎に極性が反転する。この基準電圧は、たとえばコモン電圧Ｖｃｏｍと等しい。
同様に、映像信号Ｓｉｇ２，Ｓｉｇ４，Ｓｉｇ６は基準電圧に対して１Ｈ毎に極性が反転する。
ただし、映像信号Ｓｉｇ１，Ｓｉｇ３，Ｓｉｇ５と映像信号Ｓｉｇ２，Ｓｉｇ４，Ｓｉｇ６は互いに極性が反転する。
【００３８】
プリチャージ駆動回路１９は、映像信号の書き込みによる充放電電流をなるべく抑えるために、映像信号の書き込みに先立って、ブラックレベルのプリチャージ信号および所定の色レベル、たとえばグレーレベルのプリチャージ信号を点順次２ステップにてあらかじめ書き込む処理を行う。
【００３９】
次に、上記構成のドットライン反転駆動方式のアクティブマトリクス型液晶表示装置において、その基本的な動作について、図１、図３および図６に関連付けて説明する。なお、図６においては、Ｎとして一般化しているが、ここではＮ＝１として説明する。
【００４０】
まず、最初の１ライン目において、垂直駆動回路１２から走査パルスＶｇ１が出力されると、この走査パルスＶｇ１がゲートライン１６−１を通して画素ＰＸＬ−１１，ＰＸＬ−２２，ＰＸＬ−１３，ＰＸＬ−２４，ＰＸＬ−１５，ＰＸＬ−２６，ＰＸＬ−２７，ＰＸＬ−１８，ＰＸＬ−２９，・・・ＴＦＴ１１１のゲート電極に印加されるため、これら画素がオン状態となる。
【００４１】
ここで、交互に正負の順で逆極性の映像信号Ｓｉｇ１〜Ｓｉｇ６がビデオ線ＶＤＬ１〜ＶＤＬ６を通して入力される一方、水平駆動回路１３のＨシフトレジスタから順にサンプリングパルスＶｈ１，ＸＶｈ１〜Ｖｈｉ，ＸＶｈｉが出力される。
これにより、各水平スイッチ１３２−１〜１３２−ｉの転送スイッチＴＭ１〜ＴＭ６がユニット単位で順に、同時にオン状態となる。
【００４２】
すると、交互に逆極性の映像信号Ｓｉｇ１〜Ｓｉｇ６が、まず、水平スイッチ１３２−１を通して信号ライン１５−１〜１５−６に与えられる。これにより、図６に示すように、画素ＰＸＬ−１１は正極性（図中、Ｈと記す）、ＰＸＬ−２２は負極性（図中、Ｌと記す）、ＰＸＬ−１３は正極性、ＰＸＬ−２４は負極性、ＰＸＬ−１５は正極性、ＰＸＬ−２６は負極性の信号がそれぞれ書き込まれる。
【００４３】
続いて、交互に逆極性の映像信号Ｓｉｇ１〜Ｓｉｇ６が、まず、水平スイッチ１３２−２を通して信号ライン１５−７〜１５−１２６に与えられる。これにより、図６に示すように、画素ＰＸＬ−２７は負極性、ＰＸＬ−１８は性極性、ＰＸＬ−２９は負極性・・・の信号が書き込まれる。
【００４４】
次に、２ライン目において、垂直駆動回路１２から走査パルスＶｇ２が出力されると、この走査パルスＶｇ２がゲートライン１６−２を通して画素ＰＸＬ−２１，ＰＸＬ−３２，ＰＸＬ−２３，ＰＸＬ−３４，ＰＸＬ−２５，ＰＸＬ−３６，ＰＸＬ−３７，ＰＸＬ−２８，ＰＸＬ−３９，・・・ＴＦＴ１１１のゲート電極に印加されるため、これら画素がオン状態となる。
【００４５】
ここでは、交互に負、正の順で逆極性の映像信号Ｓｉｇ１〜Ｓｉｇ６がビデオ線ＶＤＬ１〜ＶＤＬ６を通して入力される一方、水平駆動回路１３のＨシフトレジスタから順にサンプリングパルスＶｈ１，ＸＶｈ１〜Ｖｈｉ，ＸＶｈｉが出力される。
これにより、各水平スイッチ１３２−１〜１３２−ｉの転送スイッチＴＭ１〜ＴＭ６がユニット単位で順に、同時にオン状態となる。
【００４６】
すると、交互に負、正の逆極性の映像信号Ｓｉｇ１〜Ｓｉｇ６が、まず、水平スイッチ１３２−１を通して信号ライン１５−１〜１５−６に与えられる。これにより、図６に示すように、画素ＰＸＬ−２１は負極性、ＰＸＬ−３２は正極性、ＰＸＬ−２３は負極性、ＰＸＬ−３４は正極性、ＰＸＬ−２５は負極性、ＰＸＬ−３６は正極性の信号がそれぞれ書き込まれる。
【００４７】
続いて、交互に逆極性の映像信号Ｓｉｇ１〜Ｓｉｇ６が、まず、水平スイッチ１３２−２を通して信号ライン１５−７〜１５−１２６に与えられる。これにより、図６に示すように、画素ＰＸＬ−３７は正極性、ＰＸＬ−２８は負極性、ＰＸＬ−３９は正極性・・・の信号が書き込まれる。
【００４８】
以降、互いに逆極性の映像信号が１Ｈごとに基準電位に対する極性か反転して入力される一方、上述した動作が繰り返されることにより、垂直駆動回路１２による行方向（垂直方向）の走査および水平駆動回路１３による列方向（水平方向）の走査が行われる。
【００４９】
以上説明したように、本実施形態によれば、同時サンプリングを行う各ユニットごとに、奇数（ｏｄｄ），偶数（ｅｖｅｎ）で極性を反転させた信号を入力し、ゲートラインでの電位変化を打ち消すようにし、さらに、ユニットの境の部分のラインは反転させずに配線する。これにより、画素にはゆれは書き込まれず、尾引きは改善され、また、各ユニットの境でＨ，Ｌが逆転することがなくなり、ユニット境界部の開口率が落ちてしまうこと防止できる。
すなわち、ユニットの境の部分のラインは反転させずに配線することにより今まで通りのドットライン反転方式と同じく横１列でＨまたはＬとなる。
以上、本実施形態によれば、各ユニットごとに奇数（ｏｄｄ），偶数（ｅｖｅｎ）で極性を反転させた信号を入力、かつドットラインのユニットの境の部分のラインは反転させずに配線することで、尾引きは改善される。    
【００５０】
さらに、互いに逆極性の映像信号の画素回路への書き込みを，ドット反転駆動方式の場合のように水平１ラインで行うのではなく、異なる２ライン（本例では、上下２ライン）間において１画素おき（１列おき）に行うことにより、映像信号の書き込み後の画素配列において、各画素の極性は、図６から明らかなように、隣り合う左右の画素で同極性となるため、ドット反転駆動方式の場合に問題となるドメインは発生しない。これにより、画素の開口率を低下させてなくて済むため、コントラストが低下することもない。
【００５１】
また、上記の例では、アナログ映像信号を入力とし、これをサンプリングして点順次にて各画素を駆動するアナログインターフェース駆動回路を搭載した液晶表示装置に適用した場合について説明したが、ディイジタル映像信号を入力とし、これをラッチした後アナログ映像信号に変換し、このアナログ映像信号をサンプリングして点順次にて各画素を駆動するディジタルインターフェース駆動回路を搭載した液晶表示装置にも、同様に適用可能である。
【００５２】
なお、上記実施形態では、画素の表示エレメントとして液晶セルを用いた液晶表示装置に適用した場合を例に採って説明したが、液晶表示装置への適用に限られるものではなく、ドットライン反転駆動一点順次プリチャージ駆動方式を採用した表示装置全般に適用可能である。
【産業上の利用可能性】
【００５３】
黒ウィンドウや黒線などの表示時における境界部の横尾引きを無くすことができ、ドットライン反転駆動一点順次プリチャージ駆動方式を採用した表示装置全般に適用可能である。
【図面の簡単な説明】
【００５４】
【図１】本発明に係るドットライン反転駆動方式を採用したアクティブマトリクス型液晶表示装置の構成例を示す回路図である。
【図２】画素回路の具体的な構成を示す回路図である。
【図３】ドットライン反転駆動の場合の各画素のアドレスと各画素に書き込まれる映像信号の極性を示す図である。
【図４】一般的な画素部でのドットライン反転駆動の場合の信号ラインの信号極性を示す図である。
【図５】本実施形態における各信号ラインの極性を示す図である。
【図６】本実施形態に係るドットライン反転駆動の場合の各画素のアドレスと各画素に書き込まれる映像信号の極性を示す図である。
【図７】黒ウィンドウ表示時の表示状態を示す図である。
【図８】ドットライン反転駆動時における画素電位の極性を示す図である。
【図９】黒ウィンドウや黒線の表示時における境界部の画素電位を示す図である。
【図１０】点順次２ステッププリチャージ駆動時の信号ラインの電位変化を示すポテンシャル図である。
【符号の説明】
【００５５】
１０…液晶表示装置、１１…画素部、１２…垂直駆動回路（ＶＤＲＶ）、１３…水平駆動回路（ＨＤＲＤ）、１３１…Ｈシフトレジスタ、１３２−１〜１３２−ｉ…水平巣一途、１４…プリリチャージ回路、１５−１〜１５−ｎ…信号ライン、１６−１〜１６−ｍ…ゲートライン、ＵＮＴ１〜ＵＮＴ４…ユニット。
【図１】
2005055557.tif 000003
【図２】
2005055557.tif 000004
【図３】
2005055557.tif 000005
【図４】
2005055557.tif 000006
【図５】
2005055557.tif 000007
【図６】
2005055557.tif 000008
【図７】
2005055557.tif 000009
【図８】
2005055557.tif 000010
【図９】
2005055557.tif 000011
【図１０】
2005055557.tif 000012